【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
ネットワークを介して電子機器に接続される情報処理装置であって、
ジョブの蓄積を指示する第１の利用者又は前記第１の利用者とは異なる第２の利用者が前記電子機器にログインしたことを通知するログイン通知を受け付けるログイン受付手段と、
前記第１の利用者の指示に基づいて蓄積されたジョブであって、前記ログイン通知により通知された、前記電子機器にログインした前記第２の利用者による実行が許可される前記ジョブである代行ジョブが、前記代行ジョブを実行させるために前記代行ジョブを指定するジョブ指定が前記電子機器において前記第２の利用者により行われずに、前記電子機器において実行されるように制御するジョブ制御手段と、を備えることを特徴とする情報処理装置。
【請求項２】
前記代行ジョブを含むジョブリストを取得する取得手段と、をさらに備え、
前記ジョブ制御手段は、
前記第２の利用者が、前記取得手段により取得された前記ジョブリストに基づいて前記電子機器において表示されたジョブリスト画面を介して前記代行ジョブを指定せずに、前記代行ジョブが前記電子機器において実行されるように制御することを特徴とする請求項１に記載の情報処理装置。
【請求項３】
前記ジョブ制御手段は、
前記ログイン通知に応じて、前記代行ジョブが前記電子機器において実行されるように制御することを特徴とする請求項１又は２に記載の情報処理装置。
【請求項４】
前記第１の利用者の指示に基づいて蓄積されたジョブと、前記第１の利用者により設定された、前記ジョブの実行が許可される前記第２の利用者とを対応付けた管理情報を登録する登録手段と、を備え、
前記ジョブ制御手段は、
前記管理情報において、前記ログイン通知により通知された、前記電子機器にログインした前記第２の利用者に対応する前記ジョブが、前記ジョブの前記ジョブ指定が前記電子機器において前記第２の利用者により行われずに、前記電子機器において実行されるように制御することを特徴とする請求項１乃至請求項３の何れか一項に記載の情報処理装置。
【請求項５】
前記ジョブ制御手段は、
前記ログイン通知により通知された、前記電子機器にログインした前記第２の利用者の指示に基づいて蓄積されたジョブが、前記ジョブの前記ジョブ指定が前記電子機器において前記第２の利用者により行われずに、前記電子機器においてさらに実行されるように制御することを特徴とする請求項１乃至請求項４の何れか一項に記載の情報処理装置。
【請求項６】
前記第１の利用者の指示に基づいて蓄積されたジョブと、前記第１の利用者により設定された、前記ジョブの実行が許可される前記第２の利用者とを対応付けた管理情報、及び、前記第２の利用者の指示に基づいて蓄積されたジョブと、前記第２の利用者とを対応付けた管理情報を登録する登録手段と、を備え、
前記ジョブ制御手段は、
前記登録手段により登録された前記管理情報において、前記ログイン通知により通知された、前記電子機器にログインした前記第２の利用者に対応する前記ジョブが、前記ジョブの前記ジョブ指定が前記電子機器において前記第２の利用者により行われずに、前記電子機器において実行されるように制御することを特徴とする請求項５に記載の情報処理装置。
【請求項７】
前記ログイン受付手段は、
前記ネットワークを介して前記電子機器から送信された前記ログイン通知を受け付け、
前記ジョブ制御手段は、
前記ジョブを前記電子機器に送信し、前記ジョブの実行を要求することを特徴とする請求項５に記載の情報処理装置。
【請求項８】
ジョブを実行する電子機器であって、
前記ジョブの蓄積を指示する第１の利用者又は前記第１の利用者とは異なる第２の利用者が前記電子機器にログインしたことを通知するログイン通知を受け付けるログイン受付手段と、
前記第１の利用者の指示に基づいて蓄積されたジョブであって、前記ログイン通知により通知された、前記電子機器にログインした前記第２の利用者による実行が許可される前記ジョブである代行ジョブが、前記代行ジョブを実行させるために前記代行ジョブを指定するジョブ指定が前記電子機器において前記第２の利用者により行われずに、前記電子機器において実行されるように制御するジョブ制御手段と、を備えることを特徴とする電子機器。
【請求項９】
前記代行ジョブを含むジョブリストを取得する取得手段と、をさらに備え、
前記ジョブ制御手段は、
前記第２の利用者が、前記取得手段により取得された前記ジョブリストに基づいて前記電子機器において表示されたジョブリスト画面を介して前記代行ジョブを指定せずに、前記代行ジョブが前記電子機器において実行されるように制御することを特徴とする請求項８に記載の電子機器。
【請求項１０】
ネットワークを介して電子機器に接続されるコンピュータによるジョブ制御方法であって、
前記コンピュータが、
ジョブの蓄積を指示する第１の利用者又は前記第１の利用者とは異なる第２の利用者が前記電子機器にログインしたことを通知するログイン通知を受け付けるログイン受付ステップと、
前記第１の利用者の指示に基づいて蓄積されたジョブであって、前記ログイン通知により通知された、前記電子機器にログインした前記第２の利用者による実行が許可される前記ジョブである代行ジョブが、前記代行ジョブを実行させるために前記代行ジョブを指定するジョブ指定が前記電子機器において前記第２の利用者により行われずに、前記電子機器において実行されるように制御するジョブ制御ステップと、
を含むジョブ制御方法。
【請求項１１】
ジョブを実行する電子機器によるジョブ制御方法であって、
前記電子機器が、
前記ジョブの蓄積を指示する第１の利用者又は前記第１の利用者とは異なる第２の利用者が前記電子機器にログインしたことを通知するログイン通知を受け付けるログイン受付ステップと、
前記第１の利用者の指示に基づいて蓄積されたジョブであって、前記ログイン通知により通知された、前記電子機器にログインした前記第２の利用者による実行が許可される前記ジョブである代行ジョブが、前記代行ジョブを実行させるために前記代行ジョブを指定するジョブ指定が前記電子機器において前記第２の利用者により行われずに、前記電子機器において実行されるように制御するジョブ制御ステップと、
を含むジョブ制御方法。
【請求項１２】
ネットワークを介して電子機器に接続されるコンピュータに、
ジョブの蓄積を指示する第１の利用者又は前記第１の利用者とは異なる第２の利用者が前記電子機器にログインしたことを通知するログイン通知を受け付けるログイン受付ステップと、
前記第１の利用者の指示に基づいて蓄積されたジョブであって、前記ログイン通知により通知された、前記電子機器にログインした前記第２の利用者による実行が許可される前記ジョブである代行ジョブが、前記代行ジョブを実行させるために前記代行ジョブを指定するジョブ指定が前記電子機器において前記第２の利用者により行われずに、前記電子機器において実行されるように制御するジョブ制御ステップと、
を実行させるためのジョブ制御プログラム。
【請求項１３】
ジョブを実行する電子機器に、
前記ジョブの蓄積を指示する第１の利用者又は前記第１の利用者とは異なる第２の利用者が前記電子機器にログインしたことを通知するログイン通知を受け付けるログイン受付ステップと、
前記第１の利用者の指示に基づいて蓄積されたジョブであって、前記ログイン通知により通知された、前記電子機器にログインした前記第２の利用者による実行が許可される前記ジョブである代行ジョブが、前記代行ジョブを実行させるために前記代行ジョブを指定するジョブ指定が前記電子機器において前記第２の利用者により行われずに、前記電子機器において実行されるように制御するジョブ制御ステップと、
を実行させるためのジョブ制御プログラム。
【手続補正２】
【補正対象書類名】明細書
【補正対象項目名】発明の名称
【補正方法】変更
【補正の内容】
【発明の名称】情報処理装置、電子機器、ジョブ制御方法、及びジョブ制御プログラム
【手続補正３】
【補正対象書類名】明細書
【補正対象項目名】０００１
【補正方法】変更
【補正の内容】
【０００１】
本発明は、情報処理装置、電子機器、ジョブ制御方法、及びジョブ制御プログラムに関する。
【手続補正４】
【補正対象書類名】明細書
【補正対象項目名】０００７
【補正方法】変更
【補正の内容】
【０００７】
本発明は上記従来技術の問題点を鑑み提案されたものであり、ジョブ実行時の情報機密性を確保しながら利用者が求める利便性を実現できる情報処理装置を提供することにある。
【手続補正５】
【補正対象書類名】明細書
【補正対象項目名】０００８
【補正方法】変更
【補正の内容】
【０００８】
上記目的を達成するため、本発明に係る情報処理装置は、ネットワークを介して電子機器に接続される情報処理装置であって、ジョブの蓄積を指示する第１の利用者又は前記第１の利用者とは異なる第２の利用者が前記電子機器にログインしたことを通知するログイン通知を受け付けるログイン受付手段と、前記第１の利用者の指示に基づいて蓄積されたジョブであって、前記ログイン通知により通知された、前記電子機器にログインした前記第２の利用者による実行が許可される前記ジョブである代行ジョブが、前記代行ジョブを実行させるために前記代行ジョブを指定するジョブ指定が前記電子機器において前記第２の利用者により行われずに、前記電子機器において実行されるように制御するジョブ制御手段と、を備えることを特徴とする。
【手続補正６】
【補正対象書類名】明細書
【補正対象項目名】０００９
【補正方法】変更
【補正の内容】
【０００９】
本発明によれば、ジョブ実行時の情報機密性を確保しながら利用者が求める利便性を実現可能な情報処理装置を提供することができる。